(57)【特許請求の範囲】
【請求項１】
商品陳列ケースに陳列された商品が取り出される毎に、残りの商品を前記商品陳列ケースの後方から前方に自動的に押し出す商品前出し器具であって、
前記商品前出し器具は、
商品前出し用面を有する本体と、
前記商品前出し用面とは反対側で前記商品前出し用面に対して傾斜又は湾曲するバネ板部を有するように前記本体に取り付けられた板バネと、
前記商品前出し用面とは反対側に前記本体が転倒する力を軽減するように、前記本体の前記反対側の下部に取り付けられた脚部と、
を備え、
前記板バネは、一枚の弾性板で構成され、
前記板バネの先端側で折り曲げられた部分で前記バネ板部を構成し、
前記板バネの後端側で折り曲げられた部分で前記脚部を構成し、
前記バネ板部と前記脚部との間の部分を取付部として前記本体に取り付けられ、
前記バネ板部の先端部は、前記商品陳列ケースの後方壁に対する傾斜角度が前記バネ板部の前記傾斜又は湾曲する本体部よりも小さく又は前記後方壁と平行になるように折れ曲がっており、かつ、前記商品陳列ケース内の商品が取り出される毎に前記後方壁に沿って移動するように設けられ、
前記バネ板部の先端部が前記後方壁に押し付けられることで生じる前記バネ板部の反発により、前記商品を前記商品前出し用面で後方から前方に自動的に押し出すことを特徴とする商品前出し器具。
【請求項２】
前記バネ板部の長さは、前記商品陳列ケースの奥行き方向の長さから前記本体の奥行き方向の長さを差分した長さよりも長い、請求項１に記載の商品前出し器具。
【請求項３】
前記本体の前記商品前出し用面に商品関連情報が付されている、請求項１又は２に記載の商品前出し器具。
【請求項４】
前記商品関連情報は、前記商品の表面デザインである、請求項３に記載の商品前出し器具。
【請求項５】
複数個の商品を奥行き方向に陳列した状態で収納可能な商品陳列箱と、
商品前出し用面を有する本体と、前記商品前出し用面とは反対側で前記商品前出し用面に対して傾斜又は湾曲するバネ板部を有するように前記本体に取り付けられた板バネと、前記商品前出し用面とは反対側に前記本体が転倒する力を軽減するように、前記本体の前記反対側の下部に取り付けられた脚部とを有する商品前出し器具と、
を備える商品前出し陳列用什器であって、
前記板バネは、一枚の弾性板で構成され、
前記板バネの先端側で折り曲げられた部分で前記バネ板部を構成し、
前記板バネの後端側で折り曲げられた部分で前記脚部を構成し、
前記バネ板部と前記脚部との間の部分を取付部として前記本体に取り付けられ、
前記商品陳列箱は、前方壁が前記収納した商品の高さよりも低くなるようにその上部を取り外し可能に構成され、
前記商品前出し器具は、前記商品陳列箱内において前記商品よりも後方に配置され、前記商品陳列箱内から商品が取り出される毎に、前記バネ板部の先端部が前記商品陳列箱の後方壁に押し付けられることで生じる前記バネ板部の反発により、前記商品陳列箱内に残っている商品を前記商品前出し用面で後方から前方に自動的に押し出して前記前方壁に当接させるように構成され、
前記バネ板部の先端部は、前記商品陳列ケースの後方壁に対する傾斜角度が前記バネ板部の前記傾斜又は湾曲する本体部よりも小さく又は前記後方壁と平行になるように折れ曲がっており、かつ、前記商品陳列ケース内の商品が取り出される毎に前記後方壁に沿って移動するように設けられている
ことを特徴とする商品前出し陳列用什器。
【発明の詳細な説明】
【技術分野】
【０００１】
本発明は、商品陳列ケースに入れられた商品を前出しする器具に関し、より詳しくは、手前から商品が売れていく結果、奥に残った商品を、後方から前方に自動的に押し出すことができる商品前出し器具、及びそれを用いる商品前出し陳列用什器に関する。
【背景技術】
【０００２】
従来、コンビニエンスストアー、スーパーマーケット、商店等の小売業において、商品を見易く取り易いように、商品陳列ケースを用いた商品の陳列法が多く採用されている。当然、商品は手前から取り出され、前方が空いてしまうことになる。顧客に対しては、豊富な在庫が存在するかのように商品を前出しし、常に前方に商品が並んでいることが望ましい。しかしながら、商品陳列ケースの奥の商品を後方から前方に引出す作業は、特に陳列される商品の種類が多いような場合には、手間を要する作業である。
【０００３】
商品の前出しに関しては種々検討されている。例えば、特許文献１には、ローラーを用いる方法が示されている。また、特許文献２には、商品陳列ケースの陳列棚（底板）を傾斜させて、当該傾斜に沿って複数の滑り糸を緊張した状態で張設し、当該複数の滑り糸に沿って商品を滑らせて前出しする方法が示されている。さらに、特許文献３には、２枚のバネ板を交差させた状態で商品の後方に配置させ、当該２枚のバネ板の弾性力により商品を前方に押し出す方法が示されている。
【特許文献１】特開平７−２６０号公報
【特許文献２】実開平７−３４１０号公報
【特許文献３】特開２００１−１７２８１号公報
【発明の開示】
【発明が解決しようとする課題】
【０００４】
しかしながら、特許文献１のローラーを用いる方法では、複数のローラーが必要となる分、部品点数が多くなる結果、器材が高価になる。また、当該方法では、汚れ等による回転力の減少が大きく、軽い商品や袋入りの商品等にはその効果を十分に発揮できない欠点がある。
【０００５】
また、特許文献２の陳列棚の傾斜を利用する方法では、商品の重量が重くなる程、陳列棚の傾斜角度を大きくしなければならず、その結果、手前の商品から奥の商品までの陳列高さが高くなり、大きな商品陳列スペースが必要となるという欠点がある。すなわち、商品陳列スペースの大きさは、商品の重量に左右される。さらに、垂直方向に長細い商品、すなわち重心が上方にある商品には適用できないという問題があった。
【０００６】
一方、特許文献３の交差させた２枚のバネ板の弾性力を利用する方法では、商品陳列スペースを大きくすることなく、より少ない部品点数で商品を前出しすることができる。
しかしながら、当該方法では、２枚のバネ板の弾性力のバランスが崩れると、すなわちいずれか一方のバネ板の弾性力が他方より大きくなると、商品が傾いて移動経路で詰まり、商品を前出しできない恐れがある。したがって、２枚のバネ板の弾性力のバランスの管理が重要となるが、当該バランスは、製造時の寸法誤差や経年変化等によって発生するため、その管理は困難である。また、商品の背面が２枚のバネ板から均等に弾性力を受ける構成（例えば面一）でなければならず、従って、対応できる商品も限定されるという欠点がある。
【０００７】
従って、本発明の目的は、上記問題を解決することにあって、商品陳列ケースに入れられた商品を前出しする器具において、商品陳列スペースを大きくすることなく少ない部品点数で商品の前出しを実現するとともに、多様な形状の商品の前出しにも対応できる商品前出し器具、及びそれを用いる商品前出し陳列用什器を提供することにある。
【課題を解決するための手段】
【０００８】
上記目的を達成するために、本発明は以下のように構成する。
本発明の第１態様によれば、商品陳列ケースに陳列された商品が取り出される毎に、残りの商品を前記商品陳列ケースの後方から前方に自動的に押し出す商品前出し器具であって、
前記商品前出し器具は、
商品前出し用面を有する本体と、
前記商品前出し用面とは反対側で前記商品前出し用面に対して傾斜又は湾曲するバネ板部を有するように前記本体に取り付けられた板バネと、
前記商品前出し用面とは反対側に前記本体が転倒する力を軽減するように、前記本体の前記反対側の下部に取り付けられた脚部と、
を備え、
前記板バネは、一枚の弾性板で構成され、
前記板バネの先端側で折り曲げられた部分で前記バネ板部を構成し、
前記板バネの後端側で折り曲げられた部分で前記脚部を構成し、
前記バネ板部と前記脚部との間の部分を取付部として前記本体に取り付けられ、
前記バネ板部の先端部は、前記商品陳列ケースの後方壁に対する傾斜角度が前記バネ板部の前記傾斜又は湾曲する本体部よりも小さく又は前記後方壁と平行になるように折れ曲がっており、かつ、前記商品陳列ケース内の商品が取り出される毎に前記後方壁に沿って移動するように設けられ、
前記バネ板部の先端部が前記後方壁に押し付けられることで生じる前記バネ板部の反発により、前記商品を前記商品前出し用面で後方から前方に自動的に押し出すことを特徴とする商品前出し器具を提供する。
【００１４】
本発明の第２態様によれば、前記バネ板部の長さは、前記商品陳列ケースの奥行き方向の長さから前記本体の奥行き方向の長さを差分した長さよりも長い、第１態様に記載の商品前出し器具を提供する。
【００１５】
本発明の第３態様によれば、前記本体の前記商品前出し用面に商品関連情報が付されている、第１又は２態様に記載の商品前出し器具を提供する。
【００１６】
本発明の第４態様によれば、前記商品関連情報は、前記商品の表面デザインである、第３態様に記載の商品前出し器具を提供する。
【００１８】
本発明の第５態様によれば、複数個の商品を奥行き方向に陳列した状態で収納可能な商品陳列箱と、
商品前出し用面を有する本体と、前記商品前出し用面とは反対側で前記商品前出し用面に対して傾斜又は湾曲するバネ板部を有するように前記本体に取り付けられた板バネと、前記商品前出し用面とは反対側に前記本体が転倒する力を軽減するように、前記本体の前記反対側の下部に取り付けられた脚部とを有する商品前出し器具と、
を備える商品前出し陳列用什器であって、
前記板バネは、一枚の弾性板で構成され、
前記板バネの先端側で折り曲げられた部分で前記バネ板部を構成し、
前記板バネの後端側で折り曲げられた部分で前記脚部を構成し、
前記バネ板部と前記脚部との間の部分を取付部として前記本体に取り付けられ、
前記商品陳列箱は、前方壁が前記収納した商品の高さよりも低くなるようにその上部を取り外し可能に構成され、
前記商品前出し器具は、前記商品陳列箱内において前記商品よりも後方に配置され、前記商品陳列箱内から商品が取り出される毎に、前記バネ板部の先端部が前記商品陳列箱の後方壁に押し付けられることで生じる前記バネ板部の反発により、前記商品陳列箱内に残っている商品を前記商品前出し用面で後方から前方に自動的に押し出して前記前方壁に当接させるように構成され、
前記バネ板部の先端部は、前記商品陳列ケースの後方壁に対する傾斜角度が前記バネ板部の前記傾斜又は湾曲する本体部よりも小さく又は前記後方壁と平行になるように折れ曲がっており、かつ、前記商品陳列ケース内の商品が取り出される毎に前記後方壁に沿って移動するように設けられている
ことを特徴とする商品前出し陳列用什器を提供する。
【発明の効果】
【００１９】
本発明の商品前出し器具によれば、商品前出し用面で商品を前方に押し出すように構成されているので、商品の背面に均等に前記反発を伝達することができる。したがって、２枚のバネ板により商品の２箇所を前方に押し出す特許文献３の方法よりも多様な形状の商品の前出しに対応することができる。また、本体に板バネを取り付けるという非常に簡単な構成であるので、部品点数を少なく（最小２つに）することができ、特許文献３の方法のように弾性素材の一部を切断して上記２枚のバネ板を形成するといった加工を行う必要もない。また、板バネにより後方から前方に商品を押し出す構成であるので、特許文献２の方法のように商品陳列ケースの陳列棚（底板）を傾斜させる必要がなく、商品陳列ケース内に収めることが可能である。したがって、大きな商品陳列スペースも必要としない。
【００２０】
本発明の商品前出し用什器によれば、前記商品前出し器具を備えているので、商品陳列スペースを大きくすることなく少ない部品点数で商品の前出しを実現するとともに、多様な形状の商品の前出しにも対応できる。
また、商品陳列箱の前方壁が前記収納した商品の高さよりも低くなるように、商品陳列箱の上部が取り外し可能に構成されているので、例えばメーカーから小売業者への運搬時には、上部が取り付いた状態で商品陳列箱の中に商品を入れて運搬することができる。一方、小売業者が商品を展示する際には、前記上部を取り外すだけで商品陳列箱が商品陳列ケースとして機能し、商品を別の商品陳列ケースに入れ替える必要性を無くすことができる。このとき、前記上部が取り外された商品陳列箱の前方壁は前記収納した商品の高さよりも低いので、顧客は商品の表面の一部を見てその商品がどんな商品であるかを確認することができるともに、商品の取り出しをスムーズに行うことができる。
【発明を実施するための最良の形態】
【００２１】
以下、本発明の最良の実施の形態について、図面を参照しながら説明する。
【００２２】
《第１実施形態》
図１〜図５Ｃを用いて、本発明の第１実施形態にかかる商品前出し器具について説明する。図１は、本発明の第１実施形態にかかる商品前出し器具を前方側から見た斜視図であり、図２は、当該商品前出し器具を後方側から見た斜視図である。図３は、商品前出し器具を構成する板バネの展開図である。図４は、商品前出し器具が使用される商品陳列ケースの一例を示す図である。図４中では、左下側が前方であり、右上側が後方である。図５Ａ〜図５Ｃは、商品陳列ケース内で商品前出し器具が商品を前方に押し出す状態を段階的に示す側断面図である。図５Ａ〜図５Ｃ中では、左側が前方であり、右側が後方である。
【００２３】
図１又は図２に示すように、商品前出し器具１は、商品前出し用面２１を有する本体２と、商品前出し用面２１とは反対側で商品前出し用面２１に対して傾斜するバネ板部３１を有するように本体２の背面側に取り付けられた板バネ３とを備えている。
【００２４】
図４又は図５Ａ〜図５Ｃに示すように、商品前出し器具１は、商品陳列ケース１０内に陳列された商品５０の後方に配置され、板バネ３のバネ板部３１の先端部３１ａが商品陳列ケース１０の後方壁１１に押し付けられることで生じるバネ板部３１の反発により、商品５０を本体２の商品前出し用面２１で後方から前方に自動的に押し出すように構成されている。なお、ここでは、商品５０は、矩形の箱に入れられた商品であるものとする。
【００２５】
本体２は、概ね直方体のブロック又は矩形の箱体で構成されている。なお、本体２の形状、これに限定されるものではなく他の形状であってもよいが、それ自体で自立できる形状であることが好ましい。
また、本体２は、その前面で商品前出し用面２１を構成している。商品前出し用面２１は、平面であることが好ましいが、商品５０の背面の形状に起伏があれば、その起伏に応じた起伏があってもよい。すなわち、商品前出し用面２１は、商品５０を奥行き方向に平行に押し出すことができるように、できる限り広い面で商品５０の背面と接触可能に構成されていればよい。
【００２６】
商品前出し用面２１には、商品関連情報が付されている。商品関連情報とは、例えば商品５０の表紙デザインなどの、商品５０がどのような商品であるかを顧客に知らせることができる情報である。これにより、商品陳列ケース１０内の商品５０が全て取り出されて、図５Ａに示すように本体２が最前列に位置したとき、例えば、その商品陳列ケース１０内にどのような商品があったかなどを知ることが可能となっている。商品前出し用面２１に上記情報を付す方法としては、例えば、印刷やラベルの添付などの方法が挙げられる。
【００２７】
本体２の背面側に取り付けられる板バネ３は、図３に示すように、一枚の弾性板で構成されている。弾性板の材質としては、ＰＥＴ等の樹脂や金属が挙げられる。板バネ３は、先端側の折り目線４２で折り曲げた部分でバネ板部３１を構成し、後端側の折り目線４３で折り曲げた部分で脚部の一例であるバネ脚部３３を構成している。バネ板部３１とバネ脚部３３との間の部分、すなわち折り目線４２，４３の間の部分は、板バネ３を本体２に取り付けるための取付部３１となっている。本体２への板バネ３の取付方法は、特に限定されるものではなく、種々の方法が採用できる。例えば、ビスやボルトなどの締結部材を用いてもよいし、接着剤を塗布することにより取り付けてもよい。なお、これらの中では、接着剤を用いる方が、締結部材を用いるよりも部品点数を少なくして、取付工数を抑えることができるので好ましい。
【００２８】
バネ板部３１は、商品陳列ケース１０の奥行き方向の長さから本体２の奥行き方向の長さを差分した長さよりも長く形成されている。これにより、図５Ａに示すように商品陳列ケース１０から商品５０が無くなった場合、本体２の商品前出し用面２１が商品陳列ケース１０の前方壁１２に接触することが可能となる。すなわち、商品陳列ケース１０と前方壁１２との間に隙間が生じないので、例えば、商品前出し器具１が前方に倒れるような不具合を防ぐことができる。なお、バネ板部３１の長さを長く設定し過ぎると、図５Ｃに示すように商品陳列ケース１０内に商品５０が最大個数（ここでは３個）陳列された場合に、バネ板部３１が本体２と後方壁１１との間で過剰に変形して、図１及び２に示す初期の形状に戻らない恐れがある。この場合、所望の効果を得ることができない恐れがあるので、そのような不具合が生じない範囲でバネ板部３１の長さを適宜設定することが好ましい。
【００２９】
バネ板部３１の先端部３１ａは、バネ板３１の本体部３１ｂと比べて後方壁１１に対する傾斜角度が小さくなるように、又は後方壁１１と平行になるように折り目線４１で折れ曲がって構成されている。これにより、先端部３１ａは、本体部３１ｂが後方壁１１に沿って確実に一方向（ここでは下方向）に移動するように案内するとともに、先端部３１ａが後方壁１１に押し付けられた際、突っ張り部分となって本体部３１ｂを湾曲させて確実に反発を発生させるように機能する。商品陳列ケース１０内に商品５０が入れられる数が多くなる程、バネ板部３１の本体部３１ｂの曲率が大きくなるので、上記反発も大きくなる。すなわち、商品陳列ケース１０内に入れられる商品５０の数に応じた反発が発生することになる。
【００３０】
バネ板部３１の後端側のバネ脚部３３は、折り目線４４（図３参照）で折り曲げられて断面Ｌ字状に形成されている。これにより、バネ脚部３３は、商品陳列ケース１０内に商品５０を入れるときなど、後方への力が本体２に加わった際に、本体２が後方へ転倒する力を軽減するように機能する。さらに、バネ脚部３３は、図５Ｃに示すように商品陳列ケース１０内に商品５０が最大個数陳列された際、Ｌ字部分の屈曲角が小さくなるように変形することでバネとして機能し、本体２と後方壁１１との隙間が過剰に狭くなることを抑えることができる。すなわち、バネ脚部３３は、バネ板部３１が過剰に変形することを抑える機能も有している。
【００３１】
本発明の第１実施形態にかかる商品前出し器具１によれば、商品前出し用面２１で商品５０を前方に押し出すように構成されているので、商品５０の背面に均等に前記反発を伝達することができる。したがって、２枚のバネ板により商品の２箇所を前方に押し出す特許文献３の方法よりも多様な形状の商品の前出しに対応することができる。また、本体２に板バネ３を取り付けるという非常に簡単な構成であるので、部品点数が少なく（ここでは２点）、さらに、特許文献３の方法のように弾性素材の一部を切断して上記２枚のバネ板を形成するといった加工を行う必要もない。また、板バネ３により後方から前方に商品５０を押し出す構成であるので、特許文献２の方法のように商品陳列ケース１０の陳列棚を傾斜させる必要がなく、商品陳列ケース１０内に収めることが可能である。したがって、大きな商品陳列スペースを必要としない。
【００３２】
《第２実施形態》
図６を用いて、本発明の第２実施形態にかかる商品前出し陳列用什器について説明する。図６は、本発明の第２実施形態にかかる商品前出し陳列用什具の構成を示す側断面図である。図６中では、左側が前方であり、右側が後方である。
【００３３】
図６において、商品前出し陳列用什器１００は、複数個の商品５０を奥行き方向（図の左右方向）に陳列した状態で収納可能な商品陳列箱１０Ａと、商品前出し器具１とを備えている。
商品陳列箱１０Ａは、前方壁１２が商品５０の高さよりも低くなるように、その上部１０Ｂを取り外し可能に構成されている。図６の実線で示すように上部１０Ｂを取り外した際、商品陳列箱１０Ａの残りの部分が商品陳列ケース１となる。なお、上部１０Ｂの取り外し方法は、特に限定されるものではないが、例えば、商品陳列箱１０Ａの材質を紙とし、取り外す部分に２つの平行なミシン目を入れ、当該ミシン目に沿って上部１０Ｂを切り離すようにしてもよい。
【００３４】
商品前出し器具１は、商品陳列箱１０Ａ内において商品５０より後方に配置される。なお、当該配置は、上部１０Ｂの取り外し前に予め行われていてもよいし、上部１０Ｂの取り外し後に行われてもよい。前者の場合には、小売業者等が商品５０を商品陳列箱１０Ａから取り出して商品前出し器具１を配置するような手間がかからない利点がある。一方、後者の場合には、上部１０Ｂの取り外し前において、商品陳列箱１０Ａに１つでも多くの商品を入れることができる利点がある。この場合、商品前出し器具１を組立式に構成して、商品陳列箱１０Ａ内に商品前出し器具１を折りたたんだ状態で収納するようにすれば、商品前出し器具１と商品陳列箱１０Ａとを別々に保管するような手間を無くすことができる。
【００３５】
本発明の第２実施形態にかかる商品前出し陳列用什器１００によれば、商品前出し器具１を備えているので、商品陳列スペースを大きくすることなく少ない部品点数で商品の前出しを実現するとともに、多様な形状の商品の前出しにも対応できる。
また、商品陳列箱１０Ａの前方壁１２が商品５０の高さよりも低くなるように、商品陳列箱１０Ａの上部１０Ｂが取り外し可能に構成されているので、例えばメーカーから小売業者への運搬時には、上部１０Ｂが取り付いた状態で商品陳列箱１０Ａの中に商品を入れて運搬することができる。すなわち、運搬が容易である。一方、小売業者が商品５０を展示する際には、上部１０Ｂを取り外すだけで商品陳列箱１０Ａが商品陳列ケース１０として機能し、商品５０を商品陳列ケース１０に入れる必要性を無くすことができる。このとき、上部１０Ｂが取り外された商品陳列箱１０Ａの前方壁１２は商品５０の高さよりも低いので、顧客は商品５０の表面の一部を見てその商品がどんな商品であるかを確認することができるともに、商品５０の取り出しをスムーズに行うことができる。
【００３６】
《第３実施形態》
図７及び図８を用いて、本発明の第３実施形態にかかる商品前出し器具について説明する。図７は、本発明の第３実施形態にかかる商品前出し器具を後方側から見た斜視図である。図８は、本発明の第３実施形態にかかる商品前出し器具が商品陳列ケース内で商品を前方に押し出す状態を示す側断面図である。
【００３７】
図７及び図８に示すように、本第３実施形態では、商品前出し器具１の本体２を、それ自体で自立できるように構成し、板バネ３に代えて、バネ脚部３３を有しない板バネ３Ａを備えている点で第１実施形態と異なる。すなわち、板バネ３Ａは、中間部に折り目を有する一枚の板状部材で構成され、前記折り目を挟んで一方をバネ板部３１とし、前記折り目を挟んで他方を本体に取り付けるための取付部３２として構成されている、それ以外の点については、同様であるので重複する説明は省略する。なお、本体２自体で自立できるように構成するとは、例えば、本体２の奥行き方向の幅を長く確保することや、本体２の内部に重りを入れる等して重心を低くすることなどが挙げられる。
本発明の第３実施形態にかかる商品前出し器具によれば、バネ脚部３３を設けずに、さらに板バネを加工する手間を減らすことができる。
【００３８】
なお、本発明は上記実施形態に限定されるものではなく、その他種々の態様で実施できる。例えば、上記では、バネ板部３１は、初期状態（図１及び図２参照）では商品前出し用面２１に対して傾斜しているものとしたが、図９に示す板バネ３Ｂのように湾曲していても構わない。このとき、当該湾曲部分の曲率は、できるだけ小さい方が、上述したバネ板部３１の過剰な変形が生じる可能性を減らすことにつながるため好ましい。
また、上記では、バネ板部３１は、本体２の上端部より下方の位置で取付部３２から折れ曲がって後方に突出するように構成したが、当該折れ曲げ位置は、商品５０をほぼ水平に前出しすることができる位置であればよく、商品５０の重心等に応じて適宜設定すればよい。例えば、図９に示すように、本体２の上端部で取付部３２から折れ曲がって後方に突出するように構成してもよい。
また、図９では板バネ３がバネ脚部３３を有するように示したが、図１０及び図１１に示す板バネ３Ｃのようにバネ脚部３３は無くてもよい。
【００３９】
また、上記では、バネ板部３１を後方壁１１に向かって下方に傾斜するように構成したが、本発明はこれに限定されない。例えば、図１２に示す板バネ３Ｄのように、バネ板部３１を後方壁１１に向かって上方に傾斜又は湾曲するように構成してもよい。
【００４０】
なお、上記様々な実施形態のうちの任意の実施形態を適宜組み合わせることにより、それぞれの有する効果を奏するようにすることができる。
【産業上の利用可能性】
【００４１】
本発明にかかる商品前出し器具及び商品前出し陳列用什器は、商品陳列スペースを大きくすることなく少ない部品点数で商品の前出しを実現するとともに、多様な形状の商品の前出しにも対応できるので、特にコンビニエンスストアー、スーパーマーケット、商店等の小売業において、商品陳列ケースに入れられた商品を前出しする器具及び商品前出し陳列用什器として有用である。
【図面の簡単な説明】
【００４２】
【図１】本発明の第１実施形態にかかる商品前出し器具を前方側から見た斜視図である。
【図２】本発明の第１実施形態にかかる商品前出し器具を後方側から見た斜視図である。
【図３】本発明の第１実施形態にかかる商品前出し器具を構成する板バネの展開図である。
【図４】商品陳列ケースの一例を示す図である。
【図５Ａ】本発明の第１実施形態にかかる商品前出し器具が商品陳列ケース内に配置されて商品を前方に押し出す状態を示す側断面図である。
【図５Ｂ】本発明の第１実施形態にかかる商品前出し器具が商品陳列ケース内に配置されて商品を前方に押し出す状態を示す図５Ａとは別の側断面図である。
【図５Ｃ】本発明の第１実施形態にかかる商品前出し器具が商品陳列ケース内に配置されて商品を前方に押し出す状態を示す図５Ｂとは別の側断面図である。
【図６】本発明の第２実施形態にかかる商品前出し陳列用什器の構成を示す側断面図である。
【図７】本発明の第３実施形態にかかる商品前出し器具を後方側から見た斜視図である。
【図８】本発明の第３実施形態にかかる商品前出し器具が商品陳列ケース内に配置されて商品を前方に押し出す状態を示す側断面図である。
【図９】商品前出し器具の変形例を示す図である。
【図１０】商品前出し器具の他の変形例を示す図である。
【図１１】図１０に示す商品前出し器具が商品陳列ケース内に配置されて商品を前方に押し出す状態を示す側断面図である。
【図１２】商品前出し器具のさらに他の変形例を示す図である。
【符号の説明】
【００４３】
１    商品前出し器具
２    本体
３    板バネ
１０    商品陳列ケース
１１    後方壁
１２    前方壁
２１    商品前出し面
３１    バネ板部
３１ａ  先端部
３２    取付部
３３    バネ脚部
４１〜４４  折り目線
【図１】
0005252886.tif 000002
【図２】
0005252886.tif 000003
【図３】
0005252886.tif 000004
【図４】
0005252886.tif 000005
【図５Ａ】
0005252886.tif 000006
【図５Ｂ】
0005252886.tif 000007
【図５Ｃ】
0005252886.tif 000008
【図６】
0005252886.tif 000009
【図７】
0005252886.tif 000010
【図８】
0005252886.tif 000011
【図９】
0005252886.tif 000012
【図１０】
0005252886.tif 000013
【図１１】
0005252886.tif 000014
【図１２】
0005252886.tif 000015